(57)【要約】【課題】防爆バンドを取り外した跡に残る粘着材、接着材等の物質を確実に除去する。【解決手段】陰極線管１０から、防爆バンドを取り外した跡の部位１３に冷気噴出部材３６，３７から圧搾冷気を噴出させて冷却し、防爆バンドを取り外した跡に残る粘着材、接着材等の物質１６を冷却によって硬化させ、硬化した付着物質１６に削除部材５１，５２の回転ブラシを回転させながら押し付け、かつ移動させることにより、付着物質１６を陰極線管１０から除去する。【選択図】      図５
2004327334.tif 000002
【特許請求の範囲】
【請求項１】
防爆バンドが除去され当該防爆バンドと陰極線管本体間に介在した物質が付着している陰極線管の少なくとも当該防爆バンドが締着されていた部位を前記物質と共に冷却する冷却手段と、
前記冷却手段で冷却された物質を機械的に除去する除去手段と、
を具備したことを特徴とする陰極線管の付着物質除去装置。
【請求項２】
前記冷却手段は、前記防爆バンドが締着されていた部位を冷却することで前記物質を冷却して硬化させるものであることを特徴とする請求項１に記載の陰極線管の付着物質除去装置。
【請求項３】
前記冷却手段は、前記防爆バンドが締着されていた部位に冷気を吹き付けることで前記防爆バンドが締着されていた部位と前記物質を冷却するものであることを特徴とする請求項１に記載の陰極線管の付着物質除去装置。
【請求項４】
前記除去手段は、回転する金属ブラシで構成されていることを特徴とする請求項１に記載の陰極線管の付着物質除去装置。
【請求項５】
防爆バンドが除去され当該防爆バンドと陰極線管本体間に介在した物質が付着している陰極線管の少なくとも当該防爆バンドが締着されていた部位を前記物質と共に冷却して前記物質を硬化させるステップと、
前記冷却された物質を機械的に除去するステップと、
を具備したことを特徴とする陰極線管の付着物質除去方法。
【請求項６】
防爆バンドが除去され当該防爆バンドと陰極線管本体間に介在した物質が付着している陰極線管の少なくとも当該防爆バンドが締着されていた部位に冷気を吹き付けて前記物質と共に冷却することで前記物質を硬化させるステップと、
前記冷却された物質を金属ブラシで機械的に除去するステップと、
を具備したことを特徴とする陰極線管の付着物質除去方法。
【発明の詳細な説明】
【０００１】
【発明の属する技術分野】
この発明は、陰極線管に付着した物質を除去するための除去装置及び除去方法に関し、特に、防爆バンドを陰極線管に確実に締着させるために、防爆バンドと陰極線管本体間に介在させる粘着材あるいは接着材等の物質を、防爆バンドを除去した際に取り除くための装置及び方法に関する。
【０００２】
【従来の技術】
テレビジョン受像機、あるいはコンピュータディスプレイ装置等として用いられている陰極線管を廃棄する際に、再利用可能な素材を回収して新たな素材として再生成するという試みは、従来から行われてきていたが、家電リサイクル法でテレビジョン受像機がリサイクル対象製品として挙げられたことに伴い、陰極線管を破壊して、使われている素材を再生成という取り組みが本格的に実施されるようになってきている。
【０００３】
陰極線管の再利用の対象となる素材としては、まず、陰極線管本体を構成しているガラス素材が挙げられ、他には、スクリーン内面に塗布されている蛍光物質、あるいはファンネル部内面に塗布されているカーボン素材等の化学的素材、さらにはシャドマスク等の金属素材も対象となる。
【０００４】
ところで、陰極線管の本体はガラス素材で形成され、スクリーン面を含むパネル部分と、パネル部と電子銃とを繋ぐ漏斗状のファンネル部とで構成される。パネル部とファンネル部は、異なる電気的特性を要求されるため、ガラス素材としても同じものではない。例えばファンネル部はＸ線が外部に漏れるのを防ぐために鉛が混在されている。
【０００５】
このため、リサイクルする際には、陰極線管本体をパネル部とファイネル部で分割して別々に回収する作業が必要になる。
陰極線管はパネル部とファンネル部で、相互のガラスを融着させる等の手法で結合している。このため、その結合部分で機械的な強度が低下しており、陰極線管が爆発を起こす要因になることもある。このため、パネル部とファンネル部との結合部分の強度を増加させる目的で、その部分を金属の防爆バンドで締め付けて固定するという方法が一般に採られている。防爆バンドは金属製であり、陰極線管本体のガラス素材とは、密着度という点で必ずしも充分とはいえず、防爆バンドが陰極線管から抜け落ちてしまうということも予測しなくてはならない事項の一つになる。
【０００６】
そこで、通常は防爆バンドと陰極線管本体との間に、接着材あるいは粘着材等を介在させて、防爆バンドが陰極線管本体に緊密に結合するようにしている。
陰極線管のリサイクルには、前述のように陰極線管本体のパネル部とファンネル部を分割する作業が必然的に行われるが、その部分は、防爆  バンドが締着される部位であり、表面に粘着材あるいは接着材が付着している部位である。
したがって、分割後に、パネル部とファンネル部の両方にそれぞれ粘着材あるいは接着材が付着した状態で回収されることになり、それが場合によってはガラス素材の純度を損なう要因となり、リサイクルに支障を来すことなるものである。
そこで、従来、例えば特許文献１に示すように、回転するブラシによって陰極線管本体に付着している物質あるいは接着材を剥がし落とすようにした提案がなされているが、その物質が粘性を有しているため、剥がすのが困難で、仮に陰極線管本体からは剥がすことができても、ブラシ側に付着して、ブラシとしての機能を低下させてしまい作業効率の点でいまだ改善の余地のあるものであった。
【０００７】
【特許文献１】
特開平１０−２５５６６３号公報（第３〜４頁、図２）
【０００８】
【発明が解決しようとする課題】
以上のように、従来、陰極線管をリサイクルする工程において、陰極線管本体に付着した物質を簡単にかつ確実に除去するための手法の実現が強く求められていた。
本発明は、以上の点に対処なされたものであり、陰極線管の防爆バンドを取り外した後、その防爆バンドが締着されていた部位を冷却して、そこに付着している粘着材あるいは接着材等の物質を硬化させ、次にブラシ等の削除手段でその物質をブ削除するように構成したものである。
【０００９】
【課題を解決するための手段】
本発明の陰極線管の付着物質除去装置は、防爆バンドが除去され当該防爆バンドと陰極線管本体間に介在した物質が付着している陰極線管の少なくとも当該防爆バンドが締着されていた部位を前記物質と共に冷却する冷却手段と、
前記冷却手段で冷却された物質を機械的に削除する削除手段と、
を具備したことを特徴とする。
本発明によれば、陰極線管に付着した粘着材、接着材等の物質を簡単にかつ確実に除去できるようになるものである。
本発明の陰極線管の付着物質除去方法は、防爆バンドが除去され当該防爆バンドと陰極線管本体間に介在した物質が付着している陰極線管の少なくとも当該防爆バンドが締着されていた部位を前記物質と共に冷却して前記物質を硬化させるステップと、
【００１０】
前記冷却された物質を機械的に削除するステップと、
を具備したことを特徴とする。
本発明によれば、陰極線管に付着した粘着材、接着材等の物質を簡単にかつ確実に除去できるようになるものである。
本発明の陰極線管の付着物質除去方法は、防爆バンドが除去され当該防爆バンドと陰極線管本体間に介在した物質が付着している陰極線管の少なくとも当該防爆バンドが締着されていた部位に冷気を吹き付けて前記物質と共に冷却することで前記物質を硬化させるステップと、
【００１１】
前記冷却された物質を金属ブラシで機械的に削除するステップと、
を具備したことを特徴とする。
本発明によれば、陰極線管に付着した粘着材、接着材等の物質を簡単にかつ確実に除去できるようになるものである。
【００１２】
【発明の実施の形態】
以下、本発明に係る陰極線管の付着物質除去装置につき、図面を参照して詳細に説明する。図１は、陰極線管１０の斜視図であり、パネル部１１とファンネル部１２を繋ぐ部位１３の周囲に防爆バンド１４が配設されている。防爆バンド１４は金属を素材にして薄い帯状の加工物として成形され、所定の力で陰極線管１０に巻き付けられる。防爆バンド１４は、陰極線管１０に巻き付けられ際に、端部が互いに重なるような長さを有し、その重なった部分１４ａでスポット溶接等によって固定されている。
【００１３】
防爆バンド１４には、陰極線管１０の４つの角部に対応させて４つの取付金具１５ａ〜１５ｃがスポット溶接等で固定されており、この取り付け金具１５ａ〜１５ｃを介して、例えば図示しないテレビジョン受像機の筐体に固定される。
防爆バンド１４が陰極線管１０に巻き付けられる際には、陰極線管１０のそれが巻き付けられる部位１３の表面に、まず、粘着材あるいは接着材でなる物質１６が塗布あるいは貼り付け等により設けられ、その後その物質１６の上から防爆バンド１４が巻き付けられる。その結果、陰極線管１０と防爆バンド１４の間には、粘着材あるいは接着材が介在して、陰極線管１０と防爆バンド１４とがより緊密に連結されることになる。
【００１４】
以上のような陰極線管１０を、リサイクルするには、まず、防爆バンド１４を金属のこぎりあるいはカッター等で切断し、それから切断した防爆バンド１４を粘着材あるいは接着材等の物質１６の粘性に抗して陰極線管１０から剥がして取り外す。
図２は、防爆バンド１４を取り外した陰極線管１０を側面から見た図であり、図１と同じ箇所に同じ符号を付す。すなわち、陰極線管１０のパネル部１１とファンネル部１２との結合部分を一周するように、防爆バンドが巻き付けられる部位１３が存在し、その部位１３に粘着材あるいは接着材による物質１６が設けられている。
【００１５】
本発明の、陰極線管の付着物質除去装置は、その物質１６を簡単確実に除去することを目的とするもので、図３〜６を参照して詳細に説明する。防爆バンド１４が取り外された陰極線管１０（図２参照）は、図３に示すようにパネル部１１のスクリーン面を下にして作業台３１上に載置される。この作業台３１は、図４に示すように、実際には、中央の円形回転作業台３１ａと周囲の作業台３１ｂとでなる。
【００１６】
図３に示すように、作業台３１に載置された陰極線管１０のパネル部１１の４つの辺のうち隣接する２辺１１ａ，１１ｂに当接するように支持部材３２、３３が設けられ、陰極線管１０の作業台３１の面と平行な方向に対する位置を規制しいている。
【００１７】
陰極線１０のパネル部１１の残りの辺１１ｃ，１１ｄには、冷却気体を噴射して、陰極線管１０と物質１６を冷却する冷気噴出部材３６、３７が防爆バンドが巻き付けられる部位１３に対向するように設けられている。
冷気噴出部材３７は、陰極線管１０のパネル部１１の辺１１ｄに対向する側面を有した中空の細長い箱型に形成され、辺１１ｄと対向する側面に冷気を噴射する噴射孔３７ａが複数設けられると共に、図示しない冷却空気供給源から圧搾された冷却空気を受ける導入部３７ｂが複数設けられている。
【００１８】
また、冷気噴出部材３６も、陰極線管１０のパネル部１１の辺１１ｃに対向する側面を有した中空の細長い箱型に形成され、辺１１ｃと対向する側面に冷気を噴射する噴射孔３６ａが複数設けられると共に、図示しない冷気供給源から圧搾された冷却空気を受ける導入部３６ｂが複数設けられている。
【００１９】
図４は、図３を陰極線管１０の側面側から見た図であり、陰極線管１０のパネル部１１の辺１１ｃにおける、防爆バンド巻き付け部位１３に対向して冷気噴出部材３６が配設されており、その陰極線管１０と対向する側面に冷気噴射孔３６ａが複数設けられている。もう一方の冷気噴出部材３７についても実質的に同様に構成されている。
【００２０】
冷気噴出部材３６及び３７は、それぞれ導入部３６ｂ，３７ｂを介して例えば−４０度の圧搾冷却空気を受け、冷気噴射孔３６ａ，３７ａからそれを所定時間に亘って噴射する。その結果、陰極線管１０と共に、陰極線管１０の部位１３に付着した粘着材、接着材等の物質１６を冷却してそれを硬化させるものである。なお、冷気供給源は、例えばランク効果によって−４０度まで冷却された空気を圧搾して出力する装置が市販されておりそれを利用することが可能である。
【００２１】
そのようにして、陰極線管１０の部位１３に付着された物質１６が硬化された状態において、次に図５に示すように、冷気噴出部材３６，３７を陰極線管１０から遠ざけて、代わりに、回転ブラシが配設された削除部材５１，５２を陰極線管１０のパネル部１１の辺１１ｃ，１１ｄに対向するように配設する。図５において図３，４と同一部分に同一符号を付す。
【００２２】
削除部材５１は、２個の回転ブラシ５１ａと５１ｂが案内溝５１ｃ，５１ｄに案内されて陰極線管１０の辺１１ｃに沿って移動するように設けられている。回転ブラシ５１ａと５１ｂが図示しないモータ等の回転駆動手段によって、所定の回転速度でかつ所定の回転トルクで回転している状態で、回転ブラシ５１ａと５１ｂを陰極線管１０の部位１３に接触させ、回転させながら案内溝５１ｃ，５１ｄに案内させて陰極線管１０の辺１１ｃに沿って往復移動させる。
【００２３】
削除部材５２は、３個の回転ブラシ５２ａ，５２ｂ及び５２ｃが案内溝５２ｄ，５２ｅ及び５２ｆに案内されて陰極線管１０の辺１１ｄに沿って移動するように設けられている。回転ブラシ５２ａ〜５２ｃが図示しないモータ等の回転駆動手段によって、所定の回転速度でかつ所定の回転トルクで回転している状態で、回転ブラシ５２ａ〜５２ｃを陰極線管１０の部位１３に接触させ、回転させながら案内溝５２ｄ〜５２ｆに案内させて陰極線管１０の辺１１ｄに沿って往復移動させる。
【００２４】
以上のように、回転ブラシ５１ａ，５１ｂ，５２ａ〜５２ｃを回転させながら、その先端を硬化した物質１６に接触させると、物資１６が陰極線管１０の表面から剥ぎ取られるようになる。
図６は、図５を側面方向から見た図であり、図４と同一部分に同一符号を付す。陰極線管１０のパネル部１１の辺１１ｃにおける、防爆バンド巻き付け部位１３に付着している物質１６に対して、回転ブラシ５１ｂの先端が接触している状態が示されている。
【００２５】
回転ブラシ５１ｂは、そのブラシが、回転軸方向に、陰極線管１０に付着している物質１６の幅より多少長い範囲に亘って植え込まれており、回転軸が回転し、かつ案内溝５１ｄに沿って移動することで物質１６を剥ぎ取るように働く。
削除部材５１は、回転ブラシ５１ｂの軸を支持する支持部５１ｅを備え、この支持部５１ｅ内に設けられた図示しない駆動モータによって駆動される。また、図６では示されていないが、削除部材５１のもう一方の回転ブラシ５１ａも同様に支持部５１ｅで支持され、その内部に設けられた図示しないモータによって駆動されるように構成されている。
【００２６】
さらにまた、もう一方の削除部材５２も回転ブラシの数の違いはあるものの、基本的構成は、図６に示す削除部材５１と同一である。
以上のように、噴出冷気によって冷却して硬化した物質１６に回転ブラシを押し当てることにより、物質１６が粘性を有しないため、陰極線管１０の表面から簡単に剥がれ落ちるようになる。物質１６に粘性がないということで、回転ブラシに付着することがなく、陰極線管１０に再度付着してしまうということも起こらない。
【００２７】
以上のようにして、陰極線管１０のパネル部１１の辺１１ｃ，１１ｄ側の付着物質１６の削除が完了したら、作業台３１の支持部材３２，３３を陰極線管１０から離れる方向に一旦移動させてから、作業台３１の回転作業台３１ａを回転させて、陰極線管１０のパネル部１１の物資除去作業がまだ行われていない、残りの辺１１ａ，１１ｂを、支持部材３２，３３とは反対側に位置させるようにする。
【００２８】
その状態において、支持部材３２，３３を陰極線管１０のパネル部１１の辺１１ｃ，１１ｄに当接させて位置を規制する。その後、図３〜図６で説明したのと全く同じ手順で、陰極線管１０のパネル部１１の辺１１ａ，１１ｂ側に付着されている物質１６を削除するものである。
【００２９】
すなわち、冷気噴出部材３１，３２によって、物質１６を硬化させた後、削除部材５１，５２の回転ブラシによって硬化させた物質を剥がし落とす作業を行うものである。
それによって、陰極線管１０は、防爆バンドが巻き付かれる部位１３に付着された粘着材あるいは接着材でなる付着物質を簡単にかつ確実に削除して、図７に示すように付着物質が完全に削除された陰極線管１０を得ることができるものである。それによって、リサイクルの段階で、不順物が混入しない純度の高いガラス素材を回収することができるものである。
【００３０】
なお、以上説明した実施の形態では、陰極線管１０のパネル部１１の辺を２組に分けて、各組ごとに、冷却と削除作業を行うものとしているが、それに限定されるものではなく、一度に全ての辺の部位１３を冷却し、各辺の部位１３で同時に硬化した物質１６を削除するように構成してもよいことは述べるまでもない。その他、この発明の趣旨を逸脱しない範囲で、種々の構成をとることができるものである。
【００３１】
以上のように、本発明の陰極線管の付着物質削除装置は、付着物質を冷却して硬化してから、機械的に剥がし落とすように構成したため、簡単で確実に付着物質を除去することができるものである。
【００３２】
【発明の効果】
本発明の陰極線管の付着物質削除装置は、防爆バンドを取り除いた跡に残る粘着材あるいは接着材等の付着物質を、冷気によって冷却して硬化させてから、削除するようにしたので、簡単に確実に付着物質を削除することができるようになるものである。
【図面の簡単な説明】
【図１】陰極線管の構成を説明するため斜視図。
【図２】陰極線管の構成を説明するための側面図。
【図３】本発明に係る陰極線管の付着物質除去装置の要部を示す平面図。
【図４】本発明に係る陰極線管の付着物質除去装置の要部を示す側面図。
【図５】本発明に係る陰極線管の付着物質除去装置の要部を示す平面図。
【図６】本発明に係る陰極線管の付着物質除去装置の要部を示す側面図。
【図７】本発明で処理された陰極線管の側面図。
【符号の説明】
１０…陰極線管
１１…パネル部
１２…ファンネル部
１３…防爆バンドが巻回される部位
１４…防爆バンド
１５…取り付け金具
１６…付着物質
３１…作業台
３２，３３…支持部材
３６，３７…冷気噴出部材
５１，５２…削除部材
【図１】
2004327334.tif 000003
【図２】
2004327334.tif 000004
【図３】
2004327334.tif 000005
【図４】
2004327334.tif 000006
【図５】
2004327334.tif 000007
【図６】
2004327334.tif 000008
【図７】
2004327334.tif 000009